(57)【要約】【課題】認証のための印刷装置における入力操作手順を低減する印刷システム、情報処理装置及び印刷プログラムを提供する。【解決手段】印刷システム１は、印刷文書情報を記憶し、位置情報を取得する携帯端末４ａと、印刷文書情報を印刷して文書を出力する複数の複合機３ａ−３ｃと、携帯端末４ａから印刷文書情報と位置情報とを受信し、当該印刷文書情報に関連付けて認証用図形情報を生成し、当該位置情報と複数の複合機３ａ−３ｃの位置情報とに基づいて複数の複合機から一の複合機３ａを特定し、生成した認証用図形情報を特定した複合機３ａに送信する印刷サーバ２とを有し、複合機３ａは、印刷サーバ２から受信した認証用図形情報に基づいて認証用図形を表示し、印刷サーバ２は、携帯端末３ａにおいて認証用図形が入力された場合に、認証図形情報に関連付けられた印刷文書情報を特定された複合機３ａに送信する。【選択図】図１
2014063474.tif 000002
【特許請求の範囲】
【請求項１】
印刷文書情報を印刷して文書を出力する複数の印刷装置と、
印刷文書情報を記憶するとともに、自己の位置を取得して位置情報を生成するものであって、当該印刷文書情報と当該位置情報を送信する端末と、
前記端末から前記印刷文書情報と前記端末の前記位置情報とを受信し、当該印刷文書情報に関連付けて認証用情報を生成し、当該位置情報と前記複数の印刷装置の位置情報とに基づいて前記複数の印刷装置から一の印刷装置を特定し、生成した前記認証用情報を特定した前記印刷装置に送信する印刷サーバとを有し、
前記印刷装置は、前記印刷サーバから受信した前記認証用情報に基づいて認証用参照情報を表示し、
前記端末は、前記認証用参照情報に基づいた情報の入力を受け付けて入力情報を前記印刷サーバに送信し、
前記印刷サーバは、前記端末から前記入力情報を受信した場合、当該入力情報が前記認証用情報と一致した場合に、前記認証用情報に関連付けられた前記印刷文書情報を特定された前記印刷装置に送信する印刷システム。
【請求項２】
前記認証用参照情報は、情報の入力を補助する補助情報を含み、
前記印刷サーバは、当該補助情報を前記端末に送信し、
前記端末は、前記印刷サーバから前記補助情報を受信し、前記認証用参照情報に基づいた情報の入力を受け付ける際に、前記補助情報を表示する請求項１に記載の印刷システム。
【請求項３】
端末から印刷文書情報と前記端末の位置情報とを受信する受付手段と、
当該印刷文書情報に関連付けて認証用情報を生成する生成手段と、
当該位置情報と印刷装置の位置情報とに基づいて複数の印刷装置から一の印刷装置を特定する特定手段と、
生成した前記認証用情報を特定した前記印刷装置に送信する送信手段と、
前記印刷装置において、前記認証用情報に基づいて認証用参照情報が表示された後、前記端末において情報が入力され、入力された当該情報が前記認証用参照情報と一致した場合に、前記認証用情報に関連付けられた前記印刷文書情報を特定された前記印刷装置に送信する印刷情報送信手段とを有する情報処理装置。
【請求項４】
コンピュータを、
端末から印刷文書情報と前記端末の位置情報とを受信する受付手段と、
当該印刷文書情報に関連付けて認証用情報を生成する生成手段と、
当該位置情報と印刷装置の位置情報とに基づいて複数の印刷装置から一の印刷装置を特定する特定手段と、
生成した前記認証用情報を特定した前記印刷装置に送信する送信手段と、
前記印刷装置において、前記認証用情報に基づいて認証用参照情報が表示された後、前記端末において情報が入力され、入力された当該情報が前記認証用参照情報と一致した場合に、前記認証用情報に関連付けられた前記印刷文書情報を特定された前記印刷装置に送信する印刷情報送信手段として機能させるための印刷プログラム。
【発明の詳細な説明】
【技術分野】
【０００１】
本発明は、印刷システム、情報処理装置及び印刷プログラムに関する。
【背景技術】
【０００２】
従来の技術として、端末装置等からサーバに登録された文書情報を、端末装置の近辺に設置された印刷装置において印刷処理する印刷システムが提案されている（例えば、特許文献１参照）。
【０００３】
特許文献１に開示された印刷システムは、携帯電話やノートＰＣ等の端末装置と、各地に設置されて受け付けた文書情報に基づいて印刷処理を実行する印刷装置と、端末装置等から文書情報を受け付けて当該文書情報を端末装置の近辺に設置された印刷装置に送信して印刷するよう要求するサーバとを有し、サーバは端末装置から文書情報を受け付けると、当該端末装置に受付コードを送信する。その後、端末装置の利用者は、端末装置を参照しながら、印刷装置の操作部を操作することによって当該受付コードを入力することで印刷装置において文書情報の印刷を実行させるための認証をサーバとの間で行う。そして、サーバは認証が成立した場合に印刷装置において文書情報の印刷を実行する。
【先行技術文献】
【特許文献】
【０００４】
【特許文献１】特開２００６−１９５７６５号公報
【発明の概要】
【発明が解決しようとする課題】
【０００５】
本発明の目的は、認証のための入力操作手順を低減する印刷システム、情報処理装置及び印刷プログラムを提供することにある。
【課題を解決するための手段】
【０００６】
本発明の一態様は、上記目的を達成するため、以下の印刷システム、情報処理装置及び印刷プログラムを提供する。
【０００７】
［１］印刷文書情報を印刷して文書を出力する複数の印刷装置と、
印刷文書情報を記憶するとともに、自己の位置を取得して位置情報を生成するものであって、当該印刷文書情報と当該位置情報を送信する端末と、
前記端末から前記印刷文書情報と前記端末の前記位置情報とを受信し、当該印刷文書情報に関連付けて認証用情報を生成し、当該位置情報と前記複数の印刷装置の位置情報とに基づいて前記複数の印刷装置から一の印刷装置を特定し、生成した前記認証用情報を特定した前記印刷装置に送信する印刷サーバとを有し、
前記印刷装置は、前記印刷サーバから受信した前記認証用情報に基づいて認証用参照情報を表示し、
前記端末は、前記認証用参照情報に基づいた情報の入力を受け付けて入力情報を前記印刷サーバに送信し、
前記印刷サーバは、前記端末から前記入力情報を受信した場合、当該入力情報が前記認証用情報と一致した場合に、前記認証用情報に関連付けられた前記印刷文書情報を特定された前記印刷装置に送信する印刷システム。
【０００８】
［２］前記認証用参照情報は、情報の入力を補助する補助情報を含み、
前記印刷サーバは、当該補助情報を前記端末に送信し、
前記端末は、前記印刷サーバから前記補助情報を受信し、前記認証用参照情報に基づいた情報の入力を受け付ける際に、前記補助情報を表示する前記［１］に記載の印刷システム。
【０００９】
［３］端末から印刷文書情報と前記端末の位置情報とを受信する受付手段と、
当該印刷文書情報に関連付けて認証用情報を生成する生成手段と、
当該位置情報と印刷装置の位置情報とに基づいて複数の印刷装置から一の印刷装置を特定する特定手段と、
生成した前記認証用情報を特定した前記印刷装置に送信する送信手段と、
前記印刷装置において、前記認証用情報に基づいて認証用参照情報が表示された後、前記端末において情報が入力され、入力された当該情報が前記認証用参照情報と一致した場合に、前記認証用情報に関連付けられた前記印刷文書情報を特定された前記印刷装置に送信する印刷情報送信手段とを有する情報処理装置。
【００１０】
［４］コンピュータを、
端末から印刷文書情報と前記端末の位置情報とを受信する受付手段と、
当該印刷文書情報に関連付けて認証用情報を生成する生成手段と、
当該位置情報と印刷装置の位置情報とに基づいて複数の印刷装置から一の印刷装置を特定する特定手段と、
生成した前記認証用情報を特定した前記印刷装置に送信する送信手段と、
前記印刷装置において、前記認証用情報に基づいて認証用参照情報が表示された後、前記端末において情報が入力され、入力された当該情報が前記認証用参照情報と一致した場合に、前記認証用情報に関連付けられた前記印刷文書情報を特定された前記印刷装置に送信する印刷情報送信手段として機能させるための印刷プログラム。
【発明の効果】
【００１１】
請求項１、３又は４に係る発明によれば、認証のための入力操作手順を低減することができる。
【００１２】
請求項２に係る発明によれば、補助情報に基づいて認証のための入力操作の種類を増加させることができる。
【図面の簡単な説明】
【００１３】
【図１】図１は、本発明の第１の実施の形態に係る印刷システムの構成の一例を示すブロック図である。
【図２】図２は、第１の実施の形態に係る印刷サーバの構成の一例を示すブロック図である。
【図３】図３は、第１の実施の形態に係る複合機の構成の一例を示すブロック図である。
【図４】図４は、第１の実施の形態に係る携帯端末の構成の一例を示すブロック図である。
【図５】図５は、複合機情報の構成の一例を示す概略図である。
【図６】図６は、端末・複合機関連付情報の構成の一例を示す概略図である。
【図７】図７は、認証用図形情報の構成の一例を示す概略図である。
【図８】図８は、複合機の表示部に表示される認証用図形の構成の一例を示す概略図である。
【図９】図９は、第１の実施の形態の印刷システムの動作の一例を示すフローチャートである。
【図１０】図１０は、複合機の表示部に表示される認証用図形の構成の他の例を示す概略図である。
【図１１】図１１（ａ）〜（ｄ）は、複合機の表示部に表示される認証用図形の構成の他の例を示す概略図である。
【図１２】図１２は、第２の実施の形態に係る印刷サーバの構成の一例を示すブロック図である。
【図１３】図１３は、第２の実施の形態に係る複合機の構成の一例を示すブロック図である。
【図１４】図１４は、第２の実施の形態に係る携帯端末の構成の一例を示すブロック図である。
【図１５】図１５は、印刷文書情報の構成の一例を示す概略図である。
【図１６】図１６は、印刷文書情報の内容に基づいて生成された認証用参照情報の構成の一例を示す概略図である。
【図１７】図１７は、第２の実施の形態の印刷システムの動作の一例を示すフローチャートである。
【発明を実施するための形態】
【００１４】
［第１の実施の形態］
（印刷システムの構成）
図１は、本発明の第１の実施の形態に係る印刷システムの構成の一例を示すブロック図である。
【００１５】
本発明の実施の形態の一例として、印刷システム１は、印刷サーバ２、複合機３ａ−３ｃ、利用者５ａの所持する携帯端末４ａ等を有し、ネットワーク６で各装置を互いに通信可能に接続する。
【００１６】
印刷サーバ２は、情報を処理するための機能を備えたＣＰＵ（Ｃｅｎｔｒａｌ  Ｐｒｏｃｅｓｓｉｎｇ  Ｕｎｉｔ）や記憶部等の電子部品を備える情報処理装置であり、携帯端末４ａから画像や文書等の文書情報を受信して当該携帯端末に関連付けて保存する。また、印刷サーバ２は、携帯端末４ａに関連付けて認証用図形情報を作成するとともに、認証用図形情報を携帯端末４ａの近辺の複合機３ａに送信する。また、印刷サーバ２は、認証用図形情報に基づいて認証が成功すると、登録された文書情報に応じた印刷情報を複合機３ａに送信する。
【００１７】
複合機３ａ−３ｃは、本実施の形態では印刷装置の一例であり、印刷サーバ２から受信する印刷情報に基づいて印刷を実行し、印刷物を出力する印刷機能を少なくとも有し、さらに紙面等を光学走査するスキャナ機能やファクシミリ機能等を有してもよい。また、ＬＣＤ（Ｌｉｑｕｉｄ  Ｃｒｙｓｔａｌ  Ｄｉｓｐｌａｙ）等の表示部及びタッチパッド又は複数の操作キーからなる操作部をさらに有する。また、複合機３ａ−３ｃは、異なる地点に複数台設置されるものである。
【００１８】
携帯端末４ａは、図示しない無線通信網を介して印刷サーバ２と通信するものであり、操作入力用のキーボード、マウス、タッチパッド等の操作部と、液晶ディスプレイ等の表示部と、ＣＰＵや記憶部等の電子部品を有する制御部とを備える。携帯端末４ａは、印刷サーバ２に利用者の操作に応じた要求を送信し、その要求に対する応答を受信して、受信した内容を制御部で処理した結果を表示部に表示する。なお、携帯端末４ａは、例えば、パーソナルコンピュータであり、その他にＰＤＡ（Ｐｅｒｓｏｎａｌ  Ｄｉｇｉｔａｌ  Ａｓｓｉｓｔａｎｔ）、携帯電話機等を用いることもできる。また、携帯端末４ａは、同図では１台を図示するが、複数台でもよい。
【００１９】
ネットワーク６は、インターネット、ＬＡＮ（Ｌｏｃａｌ  Ａｒｅａ  Ｎｅｔｗｏｒｋ）等の通信網であり、有線、無線は問わない。
【００２０】
上記した印刷システム１において、利用者５ａが携帯端末４ａを用いて印刷サーバ２に文書情報を登録し、携帯端末４ａの現在位置を示す位置情報を印刷サーバ２に送信すると、印刷サーバ２は近辺（一例として、最寄）の複合機（例えば、３ａ）に後述する認証用図形情報を送信する。利用者５ａは、複合機３ａの表示部に表示された認証用図形を確認し、携帯端末４ａに認証用図形に基づいて認証のための入力操作を行うことで、携帯端末４ａから印刷サーバ２に入力操作に応じた情報が送信され、当該情報が印刷サーバ２で認証されれば、印刷サーバ２は利用者５ａが登録した文書情報に応じた印刷情報を複合機３ａに送信するものである。
【００２１】
（印刷サーバの構成）
図２は、第１の実施の形態に係る印刷サーバ２の構成の一例を示すブロック図である。
【００２２】
この印刷サーバ２は、ＣＰＵ等から構成され各部を制御するとともに各種のプログラムを実行する制御部２０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部２１と、ネットワーク６を介して外部と通信する通信部２２とを備える。
【００２３】
制御部２０は、後述する印刷プログラム２１０を実行することで、印刷文書情報受付手段２００、端末位置情報受付手段２０１、最寄複合機特定手段２０２、認証用図形生成手段２０３、認証用図形送信手段２０４、認証手段２０５、印刷文書情報特定手段２０６及び印刷情報送信手段２０７等として機能する。
【００２４】
印刷文書情報受付手段２００は、携帯端末４ａ等から送信された印刷文書情報を受け付けて、記憶部２１に印刷文書情報２１２として記憶する。
【００２５】
端末位置情報受付手段２０１は、携帯端末４ａから送信された位置情報を受け付けて記憶部２１の端末・複合機関連付情報２１３に記録する。
【００２６】
最寄複合機特定手段２０２は、携帯端末４ａの位置情報と、後述する複合機情報２１１とに基づいて携帯端末４ａの付近（一例として、最寄）に位置する複合機を特定して端末・複合機関連付情報２１３に記録する。
【００２７】
認証用図形生成手段２０３は、携帯端末４ａを複合機３ａ−３ｃで認証する際に用いる認証用図形を生成し、携帯端末４ａの識別情報（以下、「ＩＤ」という。）、最寄複合機特定手段２０２が特定した複合機のＩＤ及び印刷文書情報のＩＤと関連付けて認証用図形情報２１４として記憶する。
【００２８】
認証用図形送信手段２０４は、認証用図形生成手段２０３が生成した認証用図形情報２１４を最寄複合機特定手段２０２が特定した複合機に送信する。
【００２９】
認証手段２０５は、認証用図形情報２１４が送信された複合機に表示された認証用図形に基づいて携帯端末４ａにおいて認証用図形が入力された場合に、当該認証用図形を認証する。
【００３０】
印刷文書情報特定手段２０６は、認証された認証用図形に関連付けられた印刷文書情報２１２を認証用図形情報２１４に基づいて特定する。
【００３１】
印刷情報送信手段２０７は、印刷文書情報特定手段２０６が特定した印刷文書情報２１２を複合機が印刷可能な印刷情報に変換処理して、最寄複合機特定手段２０２が特定した複合機に送信する。
【００３２】
記憶部２１は、印刷プログラム２１０、複合機情報２１１、印刷文書情報２１２、端末・複合機関連付情報２１３及び認証用図形情報２１４等を格納する。
【００３３】
印刷プログラム２１０は、制御部２０を上記した各手段２００〜２０７として動作させるプログラムである。
【００３４】
複合機情報２１１は、複合機３ａ−３ｃのＩＤと、複合機３ａ−３ｃが設置された位置情報とを管理する情報である。
【００３５】
印刷文書情報２１２は、印刷文書情報受付手段２００が携帯端末４ａから受け付けた印刷文書情報である。
【００３６】
端末・複合機関連付情報２１３は、端末位置情報受付手段２０１が受け付けた端末の位置情報と、最寄複合機特定手段２０２が特定した携帯端末に最寄の複合機のＩＤとを関連付ける情報である。
【００３７】
認証用図形情報２１４は、認証用図形生成手段２０３が生成した認証用図形と、当該認証用図形が送信された複合機のＩＤと、当該認証用図形が入力されるべき携帯端末のＩＤとを関連付ける情報である。
【００３８】
（複合機の構成）
図３は、第１の実施の形態に係る複合機３ａの構成の一例を示すブロック図である。なお、複合機３ｂ及び３ｃは複合機３ａと同様の構成であるため、説明を省略する。
【００３９】
複合機３ａは、ＣＰＵ等から構成され各部を制御するとともに各種のプログラムを実行する制御部３０と、ＨＤＤやフラッシュメモリ等の記録媒体から構成され情報を記憶する記憶装置の一例としての記憶部３１と、ＬＣＤ等の表示部３２と、タッチパッド又は複数の操作キーからなる操作部３３と、印刷サーバ２から受信する印刷情報に基づいて印刷を実行し、印刷物を出力する印刷機能部３４と、ネットワーク６を介して外部と通信する通信部３５とを備える。
【００４０】
制御部３０は、記憶部３１の複合機実行プログラム３１０を実行することで、認証用図形受付手段３００、認証用図形表示手段３０１、印刷情報受付手段３０２及び印刷実行手段３０３等として機能する。
【００４１】
認証用図形受付手段３００は、印刷サーバ２から認証用図形情報２１４を受け付けて記憶部３１に認証用図形情報３１１として記憶する。
【００４２】
認証用図形表示手段３０１は、後述するタイミングで認証用図形情報３１１を表示部３２に表示する。
【００４３】
印刷情報受付手段３０２は、印刷サーバ２から印刷情報を受け付けて記憶部３１に印刷情報３１２として記憶する。
【００４４】
印刷実行手段３０３は、印刷情報３１２を印刷機能部３４において印刷実行する。
【００４５】
（携帯端末の構成）
図４は、第１の実施の形態に係る携帯端末４ａの構成の一例を示すブロック図である。
【００４６】
携帯端末４ａは、ＣＰＵ等から構成され各部を制御するとともに各種のプログラムを実行する制御部４０と、ＨＤＤやフラッシュメモリ等の記録媒体から構成され情報を記憶する記憶装置の一例としての記憶部４１と、ＬＣＤ等の表示部４２と、タッチパッド又は複数の操作キーからなる操作部４３と、携帯端末４ａの位置情報をＧＰＳ（Ｇｌｏｂａｌ  Ｐｏｓｉｔｉｏｎｉｎｇ  Ｓｙｓｔｅｍ）等で取得する位置情報取得部４４と、ネットワーク６を介して外部と通信する通信部４５とを備える。
【００４７】
制御部４０は、記憶部４１の携帯端末実行プログラム４１０を実行することで、印刷文書送信手段４００、位置情報送信手段４０１、認証用図形情報入力手段４０２、入力図形情報送信手段４０３等として機能する。
【００４８】
印刷文書送信手段４００は、記憶部４１の印刷文書情報４１１を印刷サーバ２に送信する。
【００４９】
位置情報送信手段４０１は、位置情報取得部４４が取得した位置情報を印刷サーバ２に送信する。
【００５０】
認証用図形情報入力手段４０２は、表示部４２に認証用図形を入力するために画面を表示するとともに、利用者５ａの操作部４３に対する操作に基づいて認証用図形を入力する。
【００５１】
入力図形情報送信手段４０３は、認証用図形情報入力手段４０２により入力された入力図形情報を印刷サーバ２に送信する。
【００５２】
図５は、複合機情報２１１の構成の一例を示す概略図である。
【００５３】
複合機情報２１１は、複合機３ａ−３ｃを識別するためのＩＤを示す複合機ＩＤ欄と、複合機が設置された経度を示す経度欄と、複合機が設置された緯度を示す緯度欄とを有する。
【００５４】
図６は、端末・複合機関連付情報２１３の構成の一例を示す概略図である。
【００５５】
端末・複合機関連付情報２１３は、携帯端末４ａを識別するためのＩＤを示す端末ＩＤ欄と、携帯端末４ａの位置する経度を示す経度欄と、携帯端末４ａの位置する緯度を示す緯度欄と、携帯端末４ａの最寄の複合機のＩＤを示す複合機ＩＤ欄と、印刷サーバ２が携帯端末４ａから位置情報を受け付けた時間を示す検知日時欄とを有する。
【００５６】
図７は、認証用図形情報２１４の構成の一例を示す概略図である。
【００５７】
認証用図形情報２１４は、認証用図形を識別するためのＩＤを示す図形ＩＤ欄と、認証用図形が送信される複合機のＩＤを示す複合機ＩＤ欄と、認証用図形が生成された日時を示す図形生成日時欄と、認証用図形を認証に用いることができる有効期限を示す図形有効期限欄と、認証用図形が入力される携帯端末のＩＤを示す端末ＩＤ欄と、認証用図形に関連付けられた印刷文書情報のＩＤを示す文書ＩＤ欄を有する。
【００５８】
（印刷システムの動作）
次に、第１の実施の形態の作用を、（１）文書情報の受付動作、（２）認証動作、（３）印刷動作に分けて説明する。
【００５９】
図９は、第１の実施の形態の印刷システム１の動作の一例を示すフローチャートである。
【００６０】
（１）印刷情報の受付動作
まず、利用者は、携帯端末４ａを操作して印刷を所望する印刷文書情報４１１を印刷サーバ２に登録すべく、印刷サーバ２と通信する。通信の際、利用者は最初に携帯端末４ａに利用者識別情報の利用者ＩＤとパスワードを入力し、携帯端末４ａは印刷サーバ２に認証を要求するようにしてもよい。
【００６１】
印刷サーバ２は、登録を許可すると、今回の登録される印刷情報を表す一意な登録識別子を生成し、生成された登録識別子を含んだ登録許可情報を携帯端末４ａに送信する。
【００６２】
携帯端末４ａの印刷文書送信手段４００は、登録許可情報を受信すると、登録要求とともに印刷文書情報４１１を印刷サーバ２に送信する（Ｓ４０）。また、携帯端末４ａの位置情報取得部４４は、例えば、現在の位置情報「経度３５．４６６１、緯度１３９．６２２７」を、検知日時「２０１２／１／２５  １６：５０」に取得し、位置情報送信手段４０１は、位置情報を印刷サーバ２に送信する（Ｓ４１）。また、携帯端末４ａは、登録許可情報に含まれる登録識別子を記憶部４１に記憶する。
【００６３】
印刷サーバ２の印刷文書情報受付手段２００は、登録要求とともに印刷文書情報４１１を受信し（Ｓ２０）、印刷文書情報２１２として記憶部２１に格納し登録する。
【００６４】
また、印刷サーバ２の端末位置情報受付手段２０１は、携帯端末４ａから送信された位置情報を受け付けて（Ｓ２１）、図６に示す端末・複合機関連付情報２１３に位置情報「経度３５．４６６１、緯度１３９．６２２７」、検知日時「２０１２／１／２５  １６：５０」と記録する。
【００６５】
次に、最寄複合機特定手段２０２は、携帯端末４ａの位置情報「経度３５．４６６１、緯度１３９．６２２７」と、図５に示す記憶部２１の複合機情報２１１とに基づいて携帯端末４ａの付近（一例として、最寄）に位置する複合機「ＭＦＰ−００１」（「経度３５．４６６１８８、緯度１３９．６２２７１５」）を特定して（Ｓ２２）、図６に示す端末・複合機関連付情報２１３に記録する。
【００６６】
（２）認証動作
次に、認証用図形生成手段２０３は、携帯端末４ａを複合機３ａで認証する際に用いる認証用図形「ＦＩＧ−０１０」を生成し（Ｓ２３）、携帯端末４ａのＩＤ「ＳＰ−１０００」及び最寄複合機特定手段２０２が特定した複合機のＩＤ「ＭＦＰ−００１」と関連付けて図７に示す認証用図形情報２１４として記憶する。さらに、認証用図形情報２１４を登録識別子と対応づけて記憶しても良い。
【００６７】
なお、このとき認証用図形生成手段２０３は、図形を生成した日時「２０１２／１／２５  １７：００」から予め定めた時間、例えば、１０分後の「２０１２／１／２５  １７：１０」を認証用図形の有効期限として設定する。
【００６８】
次に、認証用図形送信手段２０４は、認証用図形生成手段２０３が生成した認証用図形「ＦＩＧ−０１０」を最寄複合機特定手段２０２が特定した複合機３ａ（「ＭＦＰ−００１」）に送信する（Ｓ２４）。
【００６９】
次に、複合機３ａの認証用図形受付手段３００は、印刷サーバ２から認証用図形を受信して（Ｓ３０）、認証用図形情報３１１として記憶部３１に記憶し、認証用図形表示手段３０１は、表示部３２に認証用図形「ＦＩＧ−０１０」の内容を表示する（Ｓ３１）。
【００７０】
図８は、複合機３ａの表示部３２に表示される認証用図形の構成の一例を示す概略図である。
【００７１】
認証用図形２１４ａは、入力位置の補助として用いられる補助図形２１４ｂの各点を結んだ線の集合で構成される。なお、図８に示す例では、認証用図形２１４ａがアルファベットの「Ａ」の形としている。また、複合機３ａの表示部３２に表示される際には補助図形２１４ｂを表示しなくてもよい。
【００７２】
次に、利用者５ａは、複合機３ａの表示部３２に表示された認証用図形２１４ａを確認し、携帯端末４ａに入力するための準備操作をする。
【００７３】
携帯端末４ａの認証用図形情報入力手段４０２は、表示部４２に認証用図形を入力するための画面を表示する。画面は、例えば、図８に示す補助図形２１４ｂのみを有するように構成される。この認証用図形を表示する画面は、携帯端末４ａに予めインストールされているアプリケーションを利用者が起動することで表示させてもよいし、印刷サーバ２が複合機３ａに対して認証用図形を送信した後に、印刷サーバ２が携帯端末４ａに対して今回の登録作業に対応する登録識別子を含んだ認証用図形を入力するための画面を表示する指示情報を送信し、携帯端末４ａは印刷サーバ２から送信された入力画面を表示する指示情報を受信したのちに、指示情報に含まれる登録識別子が記憶部に記憶されている場合、表示部４２の認証用図形情報入力手段４０２は、表示部４２に認証用図形を入力するための画面を表示しても良い。
【００７４】
ここで携帯端末４ａは指示情報に含まれる登録識別子が記憶部に記憶されていない場合、表示部４２に認証用図形を入力するための画面を表示しなくても良い。また、複合機３ａは認証用図形を表示した後で印刷サーバ２に対して認証用図形を表示したことを示す表示確認情報を送信し、印刷サーバ２は複合機３ａから送信された表示確認情報を受信した後で、携帯端末４ａに対して認証用図形を入力するための指示情報を送信しても良い。
【００７５】
次に、利用者５ａは、携帯端末４ａの表示部４２に表示された補助図形２１４ｂをガイドとし、複合機３ａの表示部３２に表示された認証用図形２１４ａを再現するようにタッチパッド等である操作部４３に指先等で入力する（Ｓ４２）。
【００７６】
次に、携帯端末４ａの入力図形情報送信手段４０３は、利用者５ａによって入力された入力図形情報を印刷サーバ２に送信する（Ｓ４３）。ここで入力図形情報には、今回の作業に対応する登録識別子を付加して送信しても良い。
【００７７】
次に、印刷サーバ２の認証手段２０５は、携帯端末４ａの入力図形情報送信手段４０３から送信された入力図形情報を受信し（Ｓ２５）、認証用図形情報２１４と比較して検証し、図形が予め定めた精度で一致する場合に認証する（Ｓ２６）。この時、登録識別子が送信されてきた場合、登録識別子に対応する認証用図形情報２１４と入力図形情報を比較しても良い。なお、認証の際に、図形のストロークの順番（書き順）も条件に含めてもよい。
【００７８】
なお、同一の複合機の付近に複数の利用者がいる場合には、印刷文書情報を印刷サーバ２に登録した順序や印刷の要求の順序等によって順番を定めて、複合機の表示部に順番を表示してもよいし、携帯端末の表示部に順番を表示してもよい。このとき、複数の利用者に対応する印刷情報を印刷サーバ２から複合機に対して予め送信しておくことにより印刷の処理に要する待ち時間を減少することができる。
【００７９】
（３）印刷動作
次に、印刷文書情報特定手段２０６は、認証された認証用図形「ＦＩＧ−０１０」に関連付けられた印刷文書情報を図７に示す認証用図形情報２１４に基づいて「ＤＯＣ−００１」と特定する（Ｓ２７）。
【００８０】
印刷情報送信手段２０７は、印刷文書情報特定手段２０６が特定した印刷文書情報「ＤＯＣ−００１」を複合機が印刷可能な印刷情報に変換処理して（Ｓ２８）、最寄複合機特定手段２０２が特定した複合機「ＭＦＰ−００１」に送信する（Ｓ２９）。
【００８１】
複合機３ａの印刷情報受付手段３０２は、印刷サーバ２から印刷情報を受信し（Ｓ３２）、記憶部３１に印刷情報３１２として記憶する。
【００８２】
次に、複合機３ａの印刷実行手段３０３は、印刷準備が完了した旨及び印刷実行のためのボタン表示等を表示部３２に表示する。
【００８３】
利用者５ａは、印刷を実行させるべく複合機３ａを操作する。
【００８４】
利用者５ａから操作部３３に印刷を実行するための操作がなされると、印刷機能部３４において印刷情報３１２の印刷を実行する（Ｓ３３）。
【００８５】
（第１の実施の形態の効果）
上記した実施の形態によると、印刷文書情報を印刷サーバ２に登録した携帯端末４ａの、最寄りの複合機３ａに認証用図形情報を表示し、携帯端末４ａにおいて認証用図形が入力された場合に認証するようにしたため、従来のように予約番号の入力等を行わずに済み、認証のための印刷装置における入力操作手順を低減することができる。
【００８６】
［変形例］
なお、本発明は、上記実施の形態に限定されず、本発明の趣旨を逸脱しない範囲で種々な変形が可能である。例えば、以下のように変形してもよい。
【００８７】
図１０は、複合機３ａの表示部３２に表示される認証用図形の構成の他の例を示す概略図である。
【００８８】
認証用図形２１４ｃ、２１４ｄ、２１４ｅは、入力位置の補助として用いられる補助図形２１４ｂの各点を結んだ線の集合で構成される。なお、図９に示す例では、認証用図形２１４ｄが二本線で示されており、例えば、二本指を同時にタッチパッド等の操作部４３に接触させる、いわゆるマルチタッチジェスチャーで入力することを示す。なお、マルチタッチは複数の本数の指であれば二本に限定されない。
【００８９】
図１１（ａ）〜（ｄ）は、複合機３ａの表示部３２に表示される認証用図形の構成の他の例を示す概略図である。
【００９０】
図１１（ａ）及び（ｂ）に示すように、印刷サーバ２の認証用図形生成手段２０３は、複数種類の補助図形２１４ｆ及び２１４ｇを生成する。また、同時に図１１（ｃ）及び（ｄ）に示すように、印刷サーバ２の認証用図形生成手段２０３は、複数種類の認証用図形を入力するためのアルファベット列を生成する。
【００９１】
これら補助図形２１４ｆ又は２１４ｇと、アルファベット列のいずれかとの組み合わせが、認証用図形送信手段２０４によって複合機３ａに送信され、複合機３ａの表示部３２に表示される。
【００９２】
利用者５ａは、複合機３ａの表示部３２に表示された補助図形２１４ｆ又は２１４ｇと、アルファベット列の組み合わせを参照しながら、携帯端末４ａの操作部において補助図形２１４ｆ又は２１４ｇ上に表示されたアルファベットに該当する位置をアルファベット列の順でなぞるように入力する。
【００９３】
なお、補助図形２１４ｆ又は２１４ｇを携帯端末４ａに送信して、アルファベット列を複合機３ａに送信するようにしてもよい。これにより、補助図形とアルファベット列の組み合わせにより、複数通りの入力パターンを容易に生成でき、セキュリティを向上することができる。
【００９４】
［第２の実施の形態］
第２の実施の形態は、認証に図形を用いる代わりに文字を用いた点で第１の実施の形態と異なる。なお、第１の実施の形態と同様の機能を有する構成については同一の符号を用いている。以下、第１の実施の形態と異なる構成について説明する。なお、印刷サーバ２は印刷サーバ２Ａに、複合機３ａ−３ｃは複合機３Ａ−３Ｃに、携帯端末４ａは携帯端末４Ａに置き換えられる。
【００９５】
（印刷サーバの構成）
図１２は、第２の実施の形態に係る印刷サーバの構成の一例を示すブロック図である。
【００９６】
印刷サーバ２Ａは、第１の実施の形態の印刷サーバ２と比較し、認証用情報生成手段２０３Ａと、認証用情報送信手段２０４Ａとが構成上異なる。
【００９７】
認証用情報生成手段２０３Ａは、携帯端末４Ａを複合機３Ａ−３Ｃで認証する際に用いる認証用情報を生成し、携帯端末４Ａの登録識別子、最寄複合機特定手段２０２が特定した複合機のＩＤ及び印刷文書情報のＩＤと関連付けて認証用情報２１４Ａとして記憶する。
【００９８】
認証用情報送信手段２０４Ａは、認証用情報生成手段２０３Ａが生成した認証用情報２１４Ａから認証用参照情報を生成し、認証用参照情報を最寄複合機特定手段２０２が特定した複合機に送信する。
【００９９】
認証用情報２１４Ａは、登録識別子と、認証用情報生成手段２０３Ａが生成した認証用情報と、当該認証用参照情報が送信された複合機のＩＤとを関連付ける情報である。
【０１００】
（複合機の構成）
図１３は、第２の実施の形態に係る複合機の構成の一例を示すブロック図である。
【０１０１】
複合機３Ａは、第１の実施の形態の複合機３ａと比較し、認証用参照情報受付手段３００Ａと、認証用参照情報表示手段３０１Ａとが構成上異なる。
【０１０２】
認証用参照情報受付手段３００Ａは、印刷サーバ２Ａから認証用参照情報を受け付けて記憶部３１に認証用参照情報３１１Ａとして記憶する。
【０１０３】
認証用参照情報表示手段３０１Ａは、後述するタイミングで認証用参照情報３１１Ａを表示部３２に表示する。
【０１０４】
（携帯端末の構成）
図１４は、第２の実施の形態に係る携帯端末の構成の一例を示すブロック図である。
【０１０５】
携帯端末４Ａは、第１の実施の形態の携帯端末４ａと比較し、情報入力手段４０２Ａと、入力情報送信手段４０３Ａとが構成上異なる。
【０１０６】
情報入力手段４０２Ａは、表示部４２に認証用の情報を入力するために画面を表示するとともに、利用者５ａの操作部４３に対する操作に基づいて情報を入力する。
【０１０７】
入力情報送信手段４０３Ａは、情報入力手段４０２Ａにより入力された入力情報を印刷サーバ２Ａに送信する。
【０１０８】
（印刷システムの動作）
次に、第２の実施の形態の作用を、（１）文書情報の受付動作、（２）認証動作、（３）印刷動作に分けて説明する。なお、「（３）印刷動作」は第１の実施の形態と同様であるため説明を省略する（図１７のステップＳ２０８−Ｓ２１０及びＳ３０２、Ｓ３０３）。
【０１０９】
図１７は、第２の実施の形態の印刷システム１の動作の一例を示すフローチャートである。
【０１１０】
（１）印刷情報の受付動作
まず、利用者は、携帯端末４Ａを操作して印刷を所望する印刷文書情報４１１を印刷サーバ２Ａに登録すべく、印刷サーバ２Ａと通信する。
【０１１１】
印刷サーバ２Ａは、登録を許可すると、今回の登録される印刷情報を表す一意な登録識別子を生成し、生成された登録識別子を含んだ登録許可情報を携帯端末４Ａに送信する。
【０１１２】
携帯端末４Ａの印刷文書送信手段４００は、登録許可情報を受信すると、登録要求とともに登録許可情報に含まれる登録識別子及び印刷文書情報４１１を印刷サーバ２に送信する（Ｓ４００）。また、携帯端末４Ａの位置情報取得部４４は、例えば、現在の位置情報「経度３５．４６６１、緯度１３９．６２２７」を、検知日時「２０１２／１／２５  １６：５０」に取得し、位置情報送信手段４０１は、位置情報を印刷サーバ２に送信する（Ｓ４０１）。また、携帯端末４Ａは、登録許可情報に含まれる登録識別子を記憶部４１に記憶する。
【０１１３】
印刷サーバ２の印刷文書情報受付手段２００は、登録要求とともに登録識別子及び印刷文書情報４１１を受信し（Ｓ２００）、印刷文書情報２１２として記憶部２１に格納し登録する。
【０１１４】
また、印刷サーバ２の端末位置情報受付手段２０１は、携帯端末４Ａから送信された位置情報を受け付けて（Ｓ２０１）、図６に示す端末・複合機関連付情報２１３に位置情報「経度３５．４６６１、緯度１３９．６２２７」、検知日時「２０１２／１／２５  １６：５０」と記録する。
【０１１５】
次に、最寄複合機特定手段２０２は、携帯端末４Ａの位置情報「経度３５．４６６１、緯度１３９．６２２７」と、図５に示す記憶部２１の複合機情報２１１とに基づいて携帯端末４Ａの付近（一例として、最寄）に位置する複合機「ＭＦＰ−００１」（「経度３５．４６６１８８、緯度１３９．６２２７１５」）を特定して（Ｓ２２）、図６に示す端末・複合機関連付情報２１３に記録する。
【０１１６】
（２）認証動作
次に、認証用情報生成手段２０３Ａは、携帯端末４Ａを複合機３Ａで認証する際に用いる認証用情報を生成し（Ｓ２０３）、携帯端末４Ａから受信した登録識別子及び最寄複合機特定手段２０２が特定した複合機のＩＤ「ＭＦＰ−００１」と関連付けて認証用情報２１４Ａとして記憶する。
【０１１７】
なお、このとき認証用情報生成手段２０３Ａは、情報を生成した日時から予め定めた時間、例えば、１０分後を認証用情報の有効期限として設定する。
【０１１８】
次に、認証用情報送信手段２０４Ａは、認証用情報生成手段２０３Ａが生成した認証用情報から認証用参照情報生成し、認証用参照情報を最寄複合機特定手段２０２が特定した複合機３Ａ（「ＭＦＰ−００１」）に送信する（Ｓ２０４）。
【０１１９】
ここで認証用参照情報とは、利用者に対する設問を示す文字情報であり、利用者以外の人には知ることが難しい内容、例えば、利用者が登録した印刷文書情報２１２の属性や内容に関する設問である。
【０１２０】
なお、認証用参照情報の作成に際しては、印刷文書情報２１２から作成者、印刷情報の作成日等の属性を抽出し、抽出した属性が印刷文書情報２１２の作成者である場合は「登録した印刷文書情報の作成者は誰か？」という認証用参照情報を生成し、抽出した属性が印刷文書情報２１２の作成日である場合は「登録した印刷文書情報の作成日は何時か？」という認証用参照情報を生成する。
【０１２１】
また、印刷文書情報２１２の内容から認証用参照情報を作成する場合は、登録された印刷文書情報２１２に対して画像認識を行い、画像認識の結果、印刷文書情報２１２に文字領域が含まれている場合は、その文字領域の印刷情報における位置と領域の大きさを抽出し、文字領域に対して文字認識を施すことで文字情報を抽出し「登録した印刷文書情報に含まれる文字を入力してください」という認証用参照情報を生成する。
【０１２２】
なお、文字領域が複数存在する場合は、複数の文字領域から例えば文字領域中の文字数の範囲の領域を選択し「登録した印刷情報のこの領域に含まれる文字を入力してください」という認証用参照情報を生成する。この文字数の範囲は、利用者の入力に無理のない文字列の長さ、例えば５文字以上８文字以下としても良い。
【０１２３】
またこの場合、認証用参照情報には印刷文書情報２１２の大きさ及び文字領域の印刷文書情報２１２における位置と大きさと文字情報が含まれる。
【０１２４】
次に、複合機３Ａの認証用参照情報受付手段３００Ａは、印刷サーバ２から認証用参照情報を受信して（Ｓ３００）、認証用参照情報３１１Ａとして記憶部３１に記憶し、認証用参照情報表示手段３０１Ａは、表示部３２に認証用参照情報の内容を表示する（Ｓ３０１）。
【０１２５】
図１５は、印刷文書情報の構成の一例を示す概略図である。
【０１２６】
印刷文書情報２１２ａは、印刷文書情報２１２の一例であり、文字領域２１２ａ１−２１２ａ３を有する。なお、他の領域には画像等を含んでいてもよい。
【０１２７】
図１６は、印刷文書情報２１２ａの内容に基づいて生成された認証用参照情報の構成の一例を示す概略図である。
【０１２８】
認証用参照情報表示画面３０１Ａ１は、複合機３Ａの表示部３２に表示された認証用参照情報であり、印刷文書情報２１２の外形を示す文書外形３０１Ａ２と、文書外形３０１Ａ２に対する文字領域の位置を示す指示領域３０１Ａ３と、指示内容を表示するメッセージ３０１Ａ４とを有する。なお、指示領域３０１Ａ３は、図中では矩形を示すが、矩形に限定されず任意の形状を有してよい。
【０１２９】
次に、印刷サーバ２Ａは携帯端末４Ａに対して登録識別子とともに入力画面を表示するための情報を送信する（Ｓ２０５）。
【０１３０】
携帯端末４Ａの情報入力手段４０２Ａは、登録識別子とともに入力画面を表示するための情報を受信し（Ｓ４０２）、入力画面を表示する。
【０１３１】
次に、利用者５ａは、複合機３Ａの表示部３２に表示された認証用参照情報表示画面３０１Ａ１を確認し、携帯端末４Ａに情報を入力する。
【０１３２】
情報入力手段４０２Ａは、利用者５ａから入力された文字情報、例えば、指示内容「登録した印刷情報の作成者は誰か？」に対する「利用者Ａ」、指示内容「登録した印刷文書情報の点線の領域に含まれる文字を携帯端末に入力してください」に対して「ＡＡＡＡＡＡ」が入力されると（Ｓ４０３）、携帯端末４Ａの入力情報送信手段４０３Ａは入力された文字情報を登録識別子とともに印刷サーバ２Ａに送信する（Ｓ４０４）。
【０１３３】
なお、ステップＳ４０２において、携帯端末４Ａは受信した登録識別子が記憶部４１に記憶されていない場合、表示部４２に認証用の情報を入力するための画面を表示しなくても良い。
【０１３４】
次に、印刷サーバ２Ａの認証手段２０５は、携帯端末４Ａの入力情報送信手段４０３Ａから送信された登録識別子及び入力情報を受信し（Ｓ２０６）、登録識別子に対応する認証用情報２１４Ａと比較して検証し、情報が予め定めた精度で一致する場合に認証する（Ｓ２０７）。
【０１３５】
ステップＳ２０７において認証された場合には、印刷文書情報特定手段２０６は、登録識別子に基づいて印刷文書情報２１２を特定し（Ｓ２０８）、印刷情報送信手段２０７は特定された印刷文書情報２１２をステップＳ２０９以降の手順で複合機３Ａに送信する。
【０１３６】
（第２の実施の形態の効果）
上記した実施の形態によると、印刷文書情報を印刷サーバ２Ａに登録した携帯端末４Ａの、最寄りの複合機３Ａに認証用参照情報を表示し、携帯端末４Ａにおいて認証用の情報が入力された場合に認証するようにしたため、図形の入力に代えて文字を入力することで第１の実施の形態と同様の効果を奏する。
【０１３７】
上記実施の形態では制御部２０、３０及び４０内の各手段２００〜２０７、３００〜３０３及び４００〜４０３の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【０１３８】
１     印刷システム
２     印刷サーバ
３ａ−３ｃ    複合機
４ａ   携帯端末
５ａ   利用者
６     ネットワーク
２０   制御部
２１   記憶部
２２   通信部
３０   制御部
３１   記憶部
３２   表示部
３３   操作部
３４   印刷機能部
３５   通信部
４０   制御部
４１   記憶部
４２   表示部
４３   操作部
４４   位置情報取得部
４５   通信部
２００ 印刷文書情報受付手段
２０１ 端末位置情報受付手段
２０２ 最寄複合機特定手段
２０３ 認証用図形生成手段
２０３Ａ      認証用情報生成手段
２０４ 認証用図形送信手段
２０４Ａ      認証用情報送信手段
２０５ 認証手段
２０６ 印刷文書情報特定手段
２０７ 印刷情報送信手段
２１０ 印刷プログラム
２１１ 複合機情報
２１２ 印刷文書情報
２１３ 端末・複合機関連付情報
２１４ 認証用図形情報
２１４Ａ      認証用情報
２１４ａ      認証用図形
２１４ｂ      補助図形
２１４ｃ      認証用図形
２１４ｄ      認証用図形
２１４ｆ      補助図形
２１４ｇ      補助図形
３００ 認証用図形受付手段
３００Ａ      認証用参照情報受付手段
３０１ 認証用図形表示手段
３０１Ａ      認証用参照情報表示手段
３０２ 印刷情報受付手段
３０３ 印刷実行手段
３１０ 複合機実行プログラム
３１１ 認証用図形情報
３１１Ａ      認証用参照情報
３１２ 印刷情報
４００ 印刷文書送信手段
４０１ 位置情報送信手段
４０２ 認証用図形情報入力手段
４０２Ａ      情報入力手段
４０３ 入力図形情報送信手段
４０３Ａ      入力情報送信手段
４１０ 携帯端末実行プログラム
４１１ 印刷文書情報
【図１】
2014063474.tif 000003
【図２】
2014063474.tif 000004
【図３】
2014063474.tif 000005
【図４】
2014063474.tif 000006
【図５】
2014063474.tif 000007
【図６】
2014063474.tif 000008
【図７】
2014063474.tif 000009
【図８】
2014063474.tif 000010
【図９】
2014063474.tif 000011
【図１０】
2014063474.tif 000012
【図１１】
2014063474.tif 000013
【図１２】
2014063474.tif 000014
【図１３】
2014063474.tif 000015
【図１４】
2014063474.tif 000016
【図１５】
2014063474.tif 000017
【図１６】
2014063474.tif 000018
【図１７】
2014063474.tif 000019